(57)【要約】【課題】電話が繋がりにくくなる状況を回避することができる電話装置、着信制御方法及び着信制御プログラムを提供すること。【解決手段】予約対象時間に、通信端末から着信を受け付けた場合に、所定数の電話番号に達するまで、かかる通信端末の電話番号を許可リスト記憶部に登録する。そして、通話対象時間に、許可リスト記憶部に記憶されている電話番号を含む通話要求を受け付けた場合には通話を許可し、許可リスト記憶部に記憶されていない電話番号を含む通話要求を受け付けた場合には着信拒否する。【選択図】図１
2011199621.tif 000002
【特許請求の範囲】
【請求項１】
通信端末から該通信端末を識別する識別情報を受信する受信部と、
前記受信部によって受信された識別情報を記憶部に登録する登録部と、
前記登録部によって前記記憶部に登録された識別情報を含む通話要求を受け付けた場合には通話を許可し、前記登録部によって記憶部に登録されていない識別情報を含む通話要求を受け付けた場合には通話を許可しない着信制御部と
を備えたことを特徴とする電話装置。
【請求項２】
前記登録部は、前記記憶部に記憶されている識別情報の数が所定の条件を満たしている場合に、前記受信部によって受信された前記識別情報を前記記憶部に登録することを特徴とする請求項１に記載の電話装置。
【請求項３】
前記受信部は、前記通信端末から該通信端末の識別情報と、通話を希望する希望時間帯を示す希望時間帯情報とを受信し、
前記登録部は、前記受信部によって受信された識別情報と前記希望時間帯情報と対応付けて前記記憶部に登録し、
前記着信制御部は、前記登録部によって前記記憶部に登録された識別情報を含む通話要求を、該識別情報に対応付けて前記記憶部に記憶されている希望時間帯に受け付けた場合には通話を許可することを特徴とする請求項１に記載の電話装置。
【請求項４】
前記登録部は、前記受信部によって受信された識別情報が前記記憶部に記憶されている場合には、前記受信部によって受信された識別情報を前記記憶部に登録しないことを特徴とする請求項１に記載の電話装置。
【請求項５】
電話装置で実行される着信制御方法であって、
通信端末から該通信端末を識別する識別情報を受信する受信ステップと、
前記受信ステップによって受信された識別情報を記憶部に登録する登録ステップと、
前記登録ステップによって前記記憶部に登録された識別情報を含む通話要求を受け付けた場合には通話を許可し、前記登録ステップによって記憶部に登録されていない識別情報を含む通話要求を受け付けた場合には通話を許可しない着信制御ステップと
を含んだことを特徴とする着信制御方法。
【請求項６】
電話装置によって実行される着信制御プログラムであって、
前記電話装置に、
通信端末から該通信端末を識別する識別情報を受信する受信手順と、
前記受信手順によって受信された識別情報を記憶部に登録する登録手順と、
前記登録手順によって前記記憶部に登録された識別情報を含む通話要求を受け付けた場合には通話を許可し、前記登録手順によって記憶部に登録されていない識別情報を含む通話要求を受け付けた場合には通話を許可しない着信制御手順と
を実行させることを特徴とする着信制御プログラム。
【発明の詳細な説明】
【技術分野】
【０００１】
本発明は、電話装置、着信制御方法及び着信制御プログラムに関する。
【背景技術】
【０００２】
従来、チケットセンタ等に電話をかけることにより、コンサートや舞台公演等のチケットを購入することが行われている。具体的には、チケットの購入者は、チケットセンタに電話をかけて、チケットセンタのオペレータに購入対象のチケットを伝えることにより、チケットを購入したり、チケットの購入を予約したりする。
【０００３】
このような電話を用いたチケット購入手法では、人気の高いチケットが販売される場合に、チケットセンタに電話が繋がりにくい状況である輻輳が発生することがある。かかる輻輳が発生している場合には、チケットセンタに電話が繋がりにくくなるので、購入者は、チケットセンタに電話をかけ直すこともある。
【０００４】
なお、輻輳時に電話が繋がりにくくなる状況を回避する技術に関連するものとして、代表電話機が着信を転送先電話機に転送する技術が知られている。また、利用者が名前や電話番号や通話希望時間を予約システムサーバに入力することにより、オペレータからのコールバックを予約する技術も知られている。
【先行技術文献】
【特許文献】
【０００５】
【特許文献１】特開２００７−８８８２２号公報
【特許文献２】特開２００３−１１５９２８号公報
【発明の概要】
【発明が解決しようとする課題】
【０００６】
しかしながら、上記の従来技術には、電話が繋がりにくくなる状況を回避することが困難であるという問題がある。具体的には、着信を転送する従来技術は、代表電話機と転送先電話機との双方において輻輳が発生している場合には、着信を代表電話機及び転送先電話機に繋げることができない。すなわち、着信を転送する従来技術をチケットセンタに適用した場合であっても、購入者からの着信をチケットセンタに繋げることができない場合があり、購入者が何度も電話をかけ直すことになる。
【０００７】
また、コールバックを予約する従来技術には、コールバックを予約する際に、予約システムサーバにＩＰ（Internet  Protocol）通信の負荷が増大し、ネットワークの輻輳が発生するおそれがある。また、かかる従来技術には、発信者が所望する時間に通話を行うことができるとは限らないという問題がある。すなわち、かかる従来技術を用いたとしても、発信者が通話を所望する時間帯に電話が繋がりにくくなる状況を回避することは困難である。
【０００８】
なお、上記では、チケットセンタを例に挙げて説明したが、上記問題は、例えば、電話にて相談を受け付ける電話相談センタや、パーソナルコンピュータ等における技術的な質問を受け付けるカスタマセンタ等においても同様に生じるものである。
【０００９】
開示の技術は、上記に鑑みてなされたものであって、電話が繋がりにくくなる状況を回避することができる電話装置、着信制御方法及び着信制御プログラムを提供することを目的とする。
【課題を解決するための手段】
【００１０】
本願の開示する電話装置は、一つの態様において、通信端末から該通信端末を識別する識別情報を受信する受信部と、前記受信部によって受信された識別情報を記憶部に登録する登録部と、前記登録部によって前記記憶部に登録された識別情報を含む通話要求を受け付けた場合には通話を許可し、前記登録部によって記憶部に登録されていない識別情報を含む通話要求を受け付けた場合には通話を許可しない着信制御部とを備える。
【発明の効果】
【００１１】
本願の開示する電話装置の一つの態様によれば、電話が繋がりにくくなる状況を回避することができるという効果を奏する。
【図面の簡単な説明】
【００１２】
【図１】図１は、実施例１に係る電話装置の構成例を示すブロック図である。
【図２】図２は、実施例２に係る電話装置の構成例を示すブロック図である。
【図３】図３は、実施例２における許可リスト記憶部の一例を示す図である。
【図４】図４は、予約人数設定画面の一例を示す図である。
【図５】図５は、実施例２に係る電話装置のハードウェア構成図である。
【図６】図６は、実施例２に係る電話装置と他の携帯端末による通話予約処理を示すシーケンス図である。
【図７】図７は、実施例２に係る電話装置と他の携帯端末による通話処理を示すシーケンス図である。
【図８】図８は、実施例２に係る電話装置と他の携帯端末による着信拒否処理を示すシーケンス図である。
【図９】図９は、実施例２に係る電話装置による通話予約処理手順を示すフローチャートである。
【図１０】図１０は、実施例２に係る電話装置による通話処理手順を示すフローチャートである。
【図１１】図１１は、実施例３に係る電話装置の構成例を示すブロック図である。
【図１２】図１２は、実施例３における許可リスト記憶部の一例を示す図である。
【図１３】図１３は、実施例４における許可リスト記憶部の一例を示す図である。
【図１４】図１４は、実施例４に係る電話装置と他の携帯端末による通話予約処理を示すシーケンス図である。
【図１５】図１５は、実施例４に係る電話装置と他の携帯端末による通話処理を示すシーケンス図である。
【図１６】図１６は、実施例４に係る電話装置と他の携帯端末による着信拒否処理を示すシーケンス図である。
【図１７】図１７は、着信制御プログラムを実行するコンピュータを示す図である。
【発明を実施するための形態】
【００１３】
以下に、本願の開示する電話装置、着信制御方法及び着信制御プログラムの実施例を図面に基づいて詳細に説明する。なお、この実施例により本願の開示する電話装置、着信制御方法及び着信制御プログラムが限定されるものではない。
【実施例１】
【００１４】
まず、図１を用いて、実施例１に係る電話装置の構成について説明する。図１は、実施例１に係る電話装置の構成例を示すブロック図である。図１に示すように、実施例１に係る電話装置１００は、通信端末１０等の他の端末との間で通信を行う。また、図１に示すように、電話装置１００は、受信部１１０と、登録部１２０と、記憶部１３０と、着信制御部１４０とを有する。
【００１５】
受信部１１０は、他の通信端末から、かかる通信端末を識別する識別情報を受信する。図１に示した例では、受信部１１０は、通信端末１０から、かかる通信端末１０を識別する識別情報を受信する。
【００１６】
登録部１２０は、受信部１１０によって受信された識別情報を記憶部１３０に登録する。着信制御部１４０は、登録部１２０によって記憶部１３０に登録された識別情報を含む通話要求を受け付けた場合には、かかる通話要求を送信した通信端末と電話装置１００との通話を許可する。一方、着信制御部１４０は、登録部１２０によって記憶部１３０に登録されていない識別情報を含む通話要求を受け付けた場合には、かかる通話要求を送信した通信端末と電話装置１００との通話を許可しない。
【００１７】
図１に示した例では、着信制御部１４０は、通信端末１０から通話要求を受け付けている。このとき、着信制御部１４０は、記憶部１３０に通信端末１０の識別情報が記憶されている場合には、通信端末１０と電話装置１００との通話を許可する。かかる場合には、通信端末１０の利用者と電話装置１００の利用者とは、通話を行うことができる。一方、着信制御部１４０は、記憶部１３０に通信端末１０の識別情報が記憶されていない場合には、通信端末１０の利用者と電話装置１００の利用者との通話を許可しない。すなわち、電話装置１００は、通信端末１０からの着信を拒否する。
【００１８】
このように、実施例１に係る電話装置１００は、通話を希望する通信端末から識別情報を予め受信する。そして、電話装置１００は、記憶部１３０に記憶されている識別情報の数が所定の閾値よりも小さい場合には、通信端末から受信した識別情報を記憶部１３０に登録する。そして、電話装置１００は、記憶部１３０に記憶されている識別情報を含む通話要求を受け付けた場合には通話を許可し、記憶部１３０に記憶されていない識別情報を含む通話要求を受け付けた場合には通話を許可しない。すなわち、実施例１に係る電話装置１００は、通話を行う通信端末の数を所定の閾値に制限することができるので、所定の時間内に通話要求が増大する場合であっても、電話が繋がりにくくなる状況を回避することができる。
【実施例２】
【００１９】
次に、実施例２では、他の通信端末から通話要求であるＳＥＴＵＰ信号を受け付けることにより、通話予約を受け付ける場合を例に挙げて説明する。なお、実施例２に係る電話装置は、通話予約を受け付ける処理と通話処理とを時間によって区切って行うものとする。以下では、通話予約を受け付ける処理を行う時間を「予約対象時間」と表記し、通話処理を行う時間を「通話対象時間」と表記する場合がある。例えば、「予約対象時間」が「８時００〜１１時００分」であり、「通話対象時間」が「１４時００〜１８時００分」であるものとする。かかる場合に、実施例２に係る電話装置は、「８時００〜１１時００分」に他の通信端末からＳＥＴＵＰ信号を受け付けた場合には、通話予約を受け付ける処理を行う。また、実施例２に係る電話装置は、「１４時００〜１８時００分」に他の通信端末からＳＥＴＵＰ信号を受け付けた場合には、通話処理を行う。
【００２０】
また、実施例２では、本願の開示する電話装置を携帯端末に適用する場合を例に挙げて説明する。また、実施例２では、本願の開示する電話装置が、携帯端末との間で通信を行う場合を例に挙げて説明する。ただし、本願の開示する電話装置は、携帯端末以外の固定電話等に適用することもでき、携帯端末以外の固定電話等との間で通信を行う場合にも適用することができる。
【００２１】
［実施例２に係る電話装置の構成］
まず、図２を用いて、実施例２に係る電話装置の構成について説明する。図２は、実施例２に係る電話装置の構成例を示すブロック図である。図２に示した電話装置２００は、例えば、携帯端末であり、出力部２１０と、入力部２２０と、無線制御部２３０と、許可リスト記憶部２４０と、制御部２５０とを有する。
【００２２】
出力部２１０は、各種情報を出力する出力デバイスであり、例えば、液晶ディスプレイやスピーカである。入力部２２０は、各種情報や操作指示を入力するための入力デバイスであり、例えば、数字および文字等を入力するテンキーや、メニュー選択および表示スクロール等に用いられるカーソルキー等である。
【００２３】
無線制御部２３０は、電話装置２００と他の通信装置との間で行われる無線通信を制御する。具体的には、無線制御部２３０は、他の携帯端末との間で各種データを送受信したり、他の携帯端末に通話要求を送信したり、他の携帯端末から通話要求を受信したりする。例えば、無線制御部２３０は、他の携帯端末から受信する通話要求として、他の携帯端末の電話番号等が含まれるＳＥＴＵＰ信号を受信する。
【００２４】
なお、上述したように、実施例２に係る電話装置２００は、予約対象時間には通話予約処理を行い、通話対象時間には通話処理を行う。したがって、無線制御部２３０は、予約対象時間にＳＥＴＵＰ信号を受信した場合には、かかるＳＥＴＵＰ信号を登録部２５３へ出力することにより、登録部２５３に通話予約処理を行わせる。一方、無線制御部２３０は、通話対象時間にＳＥＴＵＰ信号を受信した場合には、かかるＳＥＴＵＰ信号を着信制御部２５４へ出力することにより、着信制御部２５４に通話処理を行わせる。
【００２５】
許可リスト記憶部２４０は、電話装置２００との通話が許可される携帯端末の識別情報を記憶する。実施例２における許可リスト記憶部２４０は、携帯端末の識別情報として、携帯端末の電話番号を記憶する。なお、許可リスト記憶部２４０は、後述する初期化部２５２や登録部２５３によって更新される。
【００２６】
図３に、実施例２における許可リスト記憶部２４０の一例を示す。図３に示した例では、許可リスト記憶部２４０は、「リスト番号」、「予約電話番号」といった項目を有する。「リスト番号」は、通番を示す。「予約電話番号」は、電話装置２００との通話が許可される携帯端末の電話番号を示す。図３に示した例では、許可リスト記憶部２４０は、予約電話番号を最大１０個まで記憶する。
【００２７】
なお、許可リスト記憶部２４０は、例えば、ＲＡＭ（Random  Access  Memory)、ＲＯＭ（Read  Only  Memory)、フラッシュメモリ（Flash  Memory）などの半導体メモリ素子、又は、ハードディスク、光ディスクなどの記憶装置である。
【００２８】
制御部２５０は、電話装置２００の動作を制御する。図２に示した例では、制御部２５０は、表示制御部２５１と、初期化部２５２と、登録部２５３と、着信制御部２５４とを有する。
【００２９】
表示制御部２５１は、出力部２１０に各種情報を表示制御する。実施例２における表示制御部２５１は、利用者によって、許可リスト記憶部２４０を初期化する旨の操作が行われた場合に、許可リスト記憶部２４０に登録可能な予約電話番号の数を受け付ける画面を出力部２１０に表示制御する。なお、以下では、許可リスト記憶部２４０に登録可能な予約電話番号の数を設定する画面を「予約人数設定画面」と表記する場合がある。
【００３０】
ここで、図４に、予約人数設定画面の一例を示す。図４に示すように、予約人数設定画面１０Ｇは、入力欄１１Ｔと、確定ボタン１１Ｂと、キャンセルボタン１２Ｂとを有する。入力欄１１Ｔは、許可リスト記憶部２４０に登録可能な予約電話番号の数が入力されるテキストボックスである。確定ボタン１１Ｂは、許可リスト記憶部２４０を初期化することを確定させる場合に押下されるボタンである。キャンセルボタン１２Ｂは、許可リスト記憶部２４０の初期化処理を中止し、予約人数設定画面１０Ｇを終了させる場合に押下されるボタンである。
【００３１】
初期化部２５２は、許可リスト記憶部２４０を初期化する。具体的には、初期化部２５２は、予約人数設定画面１０Ｇの入力欄１１Ｔに数値が入力された後に確定ボタン１１Ｂが押下された場合に、許可リスト記憶部２４０のリスト番号に、「１」〜「入力欄１１Ｔに入力された数値」を格納する。このとき、初期化部２５２は、予約電話番号に情報を格納しない。また、初期化部２５２は、許可リスト記憶部２４０に登録可能な電話番号の数として、入力欄１１Ｔに入力された数値を所定の記憶部に格納する。なお、以下では、許可リスト記憶部２４０に登録可能な予約電話番号の数を「予約受付可能数」と表記する場合がある。
【００３２】
例えば、予約人数設定画面１０Ｇの入力欄１１Ｔに「１０」が入力された後に確定ボタン１１Ｂが入力されたものとする。かかる場合に、初期化部２５２は、まず、許可リスト記憶部２４０に記憶されている各種情報を削除する。続いて、初期化部２５２は、許可リスト記憶部２４０に１０個の予約電話番号を登録できるレコードを生成する。具体的には、初期化部２５２は、リスト番号に「１」を格納したレコードと、リスト番号に「２」を格納したレコードと、・・・、リスト番号に「１０」を格納したレコードとを生成する。すなわち、初期化部２５２は、許可リスト記憶部２４０に、リスト番号が「１」〜「１０」である１０個のレコードを生成する。また、初期化部２５２は、所定の記憶部に予約受付可能数「１０」を格納する。
【００３３】
登録部２５３は、無線制御部２３０によって予約対象時間にＳＥＴＵＰ信号が受信された場合に、所定の記憶部に記憶されている予約受付可能数に基づいて、ＳＥＴＵＰ信号に含まれる電話番号を許可リスト記憶部２４０に登録する。
【００３４】
具体的には、登録部２５３は、無線制御部２３０によってＳＥＴＵＰ信号が受信された場合に、所定の記憶部に記憶されている予約受付可能数が「０」であるか否かを判定する。そして、登録部２５３は、予約受付可能数が「０」でない場合には、ＳＥＴＵＰ信号に含まれる電話番号が許可リスト記憶部２４０に既に記憶されているか否かを判定する。そして、登録部２５３は、ＳＥＴＵＰ信号に含まれる電話番号が許可リスト記憶部２４０に記憶されていない場合には、ＳＥＴＵＰ信号に含まれる電話番号を、許可リスト記憶部２４０の予約電話番号に登録する。このとき、登録部２５３は、許可リスト記憶部２４０の予約電話番号のうち、電話番号が記憶されていない予約電話番号に電話番号を登録する。また、登録部２５３は、所定の記憶部に記憶されている予約受付可能数を、かかる予約受付可能数から「１」を減算した値に更新する。
【００３５】
一方、登録部２５３は、予約受付可能数が「０」である場合には、ＳＥＴＵＰ信号に含まれる電話番号を許可リスト記憶部２４０に登録しない。また、登録部２５３は、予約受付可能数が「０」でない場合であっても、ＳＥＴＵＰ信号に含まれる電話番号が許可リスト記憶部２４０に記憶されている場合には、電話番号を許可リスト記憶部２４０に登録しない。
【００３６】
着信制御部２５４は、無線制御部２３０によって通話対象時間にＳＥＴＵＰ信号が受信された場合に、許可リスト記憶部２４０に記憶されている情報に基づいて、通話を許可するか否かを判定する。
【００３７】
具体的には、着信制御部２５４は、無線制御部２３０によってＳＥＴＵＰ信号が受信された場合に、かかるＳＥＴＵＰ信号に含まれる電話番号が許可リスト記憶部２４０の予約電話番号に記憶されているか否かを判定する。そして、着信制御部２５４は、ＳＥＴＵＰ信号に含まれる電話番号が許可リスト記憶部２４０の予約電話番号に記憶されている場合には、ＳＥＴＵＰ信号を送信した携帯端末と電話装置２００との通話を許可する。一方、着信制御部２５４は、ＳＥＴＵＰ信号に含まれる電話番号が許可リスト記憶部２４０の予約電話番号に記憶されていない場合には、ＳＥＴＵＰ信号を送信した携帯端末と電話装置２００との通話を許可しない。
【００３８】
なお、上述した無線制御部２３０や制御部２５０は、例えば、ＡＳＩＣ（Application  Specific  Integrated  Circuit）やＦＰＧＡ（Field  Programmable  Gate  Array）等の集積回路等である。
【００３９】
次に、図５を用いて、図２に示した電話装置２００のハードウェア構成例について説明する。図５は、実施例２に係る電話装置２００のハードウェア構成図である。図５に示すように、電話装置２００は、表示部２１０ａと、音声入出力部２１０ｂと、マイク２１１と、スピーカ２１２と、操作入力部２２０ａと、無線通信部２３０ａと、アンテナ２３１と、記憶部２４０ａと、プロセッサ２５０ａとを有する。
【００４０】
表示部２１０ａ、音声入出力部２１０ｂ、操作入力部２２０ａ及び無線通信部２３０ａは、プロセッサ２５０ａと接続される。また、マイク２１１及びスピーカ２１２は、音声入出力部２１０ｂと接続される。また、アンテナ２３１は、無線通信部２３０ａと接続される。
【００４１】
表示部２１０ａ、音声入出力部２１０ｂ、マイク２１１及びスピーカ２１２は、例えば、図２に示した出力部２１０に対応する。また、操作入力部２２０ａは、例えば、図２に示した入力部２２０に対応する。また、無線通信部２３０ａは、例えば、図２に示した無線制御部２３０に対応する。
【００４２】
記憶部２４０ａ及びプロセッサ２５０ａは、図２に示した制御部２５０の機能を実現する。具体的には、記憶部２４０ａのプログラム記憶部２４１ａは、図２に示した制御部２５０による処理を実現する各種プログラムを記憶する。また、データ記憶部２４２ａやＲＡＭ２４３ａは、図２に示した許可リスト記憶部２４０を記憶する。そして、プロセッサ２５０ａは、プログラム記憶部２４１ａに格納されている各種プログラムを読み出して、例えば、ＲＡＭ２４３ａ等に展開し、順次実行することで制御部２５０の各種機能を実現する。
【００４３】
［実施例２における通話予約シーケンス］
次に、図６を用いて、実施例２に係る電話装置２００と他の携帯端末による通話予約処理について説明する。図６は、実施例２に係る電話装置２００と他の携帯端末による通話予約処理を示すシーケンス図である。なお、図６に示した処理手順は、予約対象時間に行われる。
【００４４】
図６に示すように、携帯端末１１は、通話予約を行う場合に、電話装置２００に対して、携帯端末１１の電話番号を含むＳＥＴＵＰ信号を送信する（ステップＳ１１）。例えば、携帯端末１１の利用者によって、携帯端末１１から電話装置２００へ電話をかける操作が行われた場合に、携帯端末１１は、電話装置２００へＳＥＴＵＰ信号を送信する。
【００４５】
携帯端末１１からＳＥＴＵＰ信号を受信した電話装置２００は、許可リスト記憶部２４０を更新する（ステップＳ１２）。なお、ここでは、予約受付可能数が「０」でないものとする。また、許可リスト記憶部２４０は、ステップＳ１１におけるＳＥＴＵＰ信号を受信する前には、携帯端末１１の電話番号を記憶していないものとする。したがって、電話装置２００は、携帯端末１１の電話番号を許可リスト記憶部２４０の予約電話番号に登録する。
【００４６】
続いて、電話装置２００は、電話番号を許可リスト記憶部２４０に登録したことを示すＤＩＳＣＯＮＮＥＣＴ信号を携帯端末１１へ送信する（ステップＳ１３）。かかるＤＩＳＣＯＮＮＥＣＴ信号を受信した携帯端末１１は、自装置の表示画面に、通話予約が成功したことを示す登録成功画面を表示する（ステップＳ１４）。これにより、電話装置２００は、携帯端末１１の利用者に対して、通話予約が成功したことを通知することができる。
【００４７】
この後に、電話装置２００は、他の携帯端末からＳＥＴＵＰ信号を受信して、許可リスト記憶部２４０に電話番号を登録したものとする。そして、所定の記憶部に記憶されている予約受付可能数が「０」になったものとする。このような状況において、図６に示すように、携帯端末２１は、電話装置２００に対して、携帯端末２１の電話番号を含むＳＥＴＵＰ信号を送信する（ステップＳ１５）。
【００４８】
携帯端末２１からＳＥＴＵＰ信号を受信した電話装置２００は、所定の記憶部に記憶されている予約受付可能数が「０」であるので、着信拒否を示すＤＩＳＣＯＮＮＥＣＴ信号を携帯端末２１へ送信する（ステップＳ１６）。言い換えれば、電話装置２００は、電話番号を許可リスト記憶部２４０に登録できなかったことを示すＤＩＳＣＯＮＮＥＣＴ信号を携帯端末２１へ送信する。
【００４９】
かかるＤＩＳＣＯＮＮＥＣＴ信号を受信した携帯端末２１は、自装置の表示画面に、通話予約が失敗したことを示す登録失敗画面を表示する（ステップＳ１７）。これにより、電話装置２００は、携帯端末２１の利用者に対して、通話予約が失敗したことを通知することができる。
【００５０】
［実施例２における通話シーケンス］
次に、図７を用いて、実施例２に係る電話装置２００と他の携帯端末による通話処理について説明する。図７は、実施例２に係る電話装置２００と他の携帯端末による通話処理を示すシーケンス図である。なお、図７に示した処理手順は、通話対象時間に行われる。また、図７では、電話装置２００と図６に示した携帯端末１１による通話処理を示す。
【００５１】
図７に示すように、携帯端末１１は、電話装置２００と通話を行う場合に、電話装置２００に対して、携帯端末１１の電話番号を含むＳＥＴＵＰ信号を送信する（ステップＳ２１）。例えば、携帯端末１１の利用者によって、携帯端末１１から電話装置２００へ電話をかける操作が行われた場合に、携帯端末１１は、電話装置２００へＳＥＴＵＰ信号を送信する。
【００５２】
携帯端末１１からＳＥＴＵＰ信号を受信した電話装置２００は、許可リスト記憶部２４０を参照して、携帯端末１１の電話番号が許可リスト記憶部２４０の予約電話番号に記憶されているか否かを判定する（ステップＳ２２）。ここでは、許可リスト記憶部２４０は、携帯端末１１の電話番号を記憶しているものとする。したがって、電話装置２００は、携帯端末１１に対して、着信要求に対する確認を示すＣＡＬＬ−ＣＯＮＦＩＲＭＥＤ信号を送信する（ステップＳ２３）。
【００５３】
続いて、電話装置２００は、携帯端末１１に対して、呼び出し通知を示すＡＬＥＲＴＩＮＧ信号を送信する（ステップＳ２４）。続いて、電話装置２００は、携帯端末１１に対して、通信の確立を要求するＣＡＬＬ−ＣＯＮＮＥＣＴ信号を送信する（ステップＳ２５）。このようにして、電話装置２００は、携帯端末１１との間の通信を確立する。
【００５４】
これにより、電話装置２００の利用者と、携帯端末１１の利用者とは通話を行うことができる（ステップＳ２６）。そして、通話が終了した後に、携帯端末１１は、電話装置２００に対して、ＤＩＳＣＯＮＮＥＣＴ信号を送信する（ステップＳ２７）。これにより、電話装置２００と携帯端末１１との間の通信は切断される。
【００５５】
［実施例２における着信拒否シーケンス］
次に、図８を用いて、実施例２に係る電話装置２００と他の携帯端末による着信拒否処理について説明する。図８は、実施例２に係る電話装置２００と他の携帯端末による着信拒否処理を示すシーケンス図である。なお、図８に示した処理手順は、図７に示した処理手順と同様に、通話対象時間に行われる。また、図８では、電話装置２００と図６に示した携帯端末２１による着信拒否処理を示す。
【００５６】
図８に示すように、携帯端末２１は、電話装置２００と通話を行う場合に、電話装置２００に対して、携帯端末２１の電話番号を含むＳＥＴＵＰ信号を送信する（ステップＳ３１）。
【００５７】
携帯端末２１からＳＥＴＵＰ信号を受信した電話装置２００は、許可リスト記憶部２４０を参照して、携帯端末２１の電話番号が許可リスト記憶部２４０の予約電話番号に記憶されているか否かを判定する（ステップＳ３２）。
【００５８】
ここでは、許可リスト記憶部２４０は、携帯端末２１の電話番号を記憶していないものとする。したがって、電話装置２００は、携帯端末２１に対して、着信拒否を示すＤＩＳＣＯＮＮＥＣＴ信号を送信する（ステップＳ３３）。このように、電話装置２００は、許可リスト記憶部２４０に記憶されていない電話番号を含むＳＥＴＵＰ信号を受信した場合には、かかるＳＥＴＵＰ信号の送信元の携帯端末との通話を拒否する。
【００５９】
［実施例２における通話予約処理手順］
次に、図９を用いて、実施例２に係る電話装置２００による通話予約処理の手順について説明する。図９は、実施例２に係る電話装置２００による通話予約処理手順を示すフローチャートである。なお、図９に示した通話予約処理手順は、予約対象時間に行われる。
【００６０】
図９に示すように、電話装置２００の登録部２５３は、無線制御部２３０によって予約対象時間にＳＥＴＵＰ信号が受信された場合に（ステップＳ１０１肯定）、かかるＳＥＴＵＰ信号から、発信元の電話番号を抽出する（ステップＳ１０２）。
【００６１】
続いて、登録部２５３は、所定の記憶部に記憶されている予約受付可能数が「０」であるか否かを判定する（ステップＳ１０３）。そして、登録部２５３は、予約受付可能数が「０」でない場合には（ステップＳ１０３否定）、ＳＥＴＵＰ信号から抽出した電話番号が許可リスト記憶部２４０に登録済みであるか否かを判定する（ステップＳ１０４）。
【００６２】
そして、登録部２５３は、ＳＥＴＵＰ信号から抽出した電話番号が許可リスト記憶部２４０に登録済みでない場合には（ステップＳ１０４否定）、かかる電話番号を許可リスト記憶部２４０に登録する（ステップＳ１０５）。また、登録部２５３は、所定の記憶部に記憶されている予約受付可能数を、かかる予約受付可能数から「１」を減算した値に更新する（ステップＳ１０６）。
【００６３】
続いて、登録部２５３は、許可リスト記憶部２４０に電話番号を登録できた旨の情報を無線制御部２３０に出力する。そして、無線制御部２３０は、ＳＥＴＵＰ信号の送信元の携帯端末に対して、登録完了を示すＤＩＳＣＯＮＮＥＣＴ信号を送信する（ステップＳ１０７）。
【００６４】
一方、登録部２５３は、所定の記憶部に記憶されている予約受付可能数が「０」である場合には（ステップＳ１０３肯定）、ＳＥＴＵＰ信号の送信元の携帯端末に対して、着信拒否を示すＤＩＳＣＯＮＮＥＣＴ信号を送信する（ステップＳ１０８）。また、登録部２５３は、ＳＥＴＵＰ信号から抽出した電話番号が許可リスト記憶部２４０に登録済みである場合にも（ステップＳ１０４肯定）、着信拒否を示すＤＩＳＣＯＮＮＥＣＴ信号を送信する（ステップＳ１０８）。
【００６５】
なお、図９では、ＳＥＴＵＰ信号から抽出した電話番号が許可リスト記憶部２４０に登録済みである場合には（ステップＳ１０４肯定）、登録部２５３が、ステップＳ１０８における処理を行う例を示した。しかし、登録部２５３は、ＳＥＴＵＰ信号から抽出した電話番号が許可リスト記憶部２４０に登録済みである場合には（ステップＳ１０４肯定）、ステップＳ１０５及びＳ１０６における処理を省略してステップＳ１０７における処理を行ってもよい。これにより、電話装置２００は、許可リスト記憶部２４０に同一の電話番号が重複して登録されることを防止することができ、さらに、ＳＥＴＵＰ信号の送信元携帯端末の利用者は、通話対象時間に通話を行うことができると認識することができる。
【００６６】
［実施例２における通話処理手順］
次に、図１０を用いて、実施例２に係る電話装置２００による通話処理の手順について説明する。図１０は、実施例２に係る電話装置２００による通話処理手順を示すフローチャートである。なお、図１０に示した通話処理手順は、通話対象時間に行われる。
【００６７】
図１０に示すように、電話装置２００の着信制御部２５４は、無線制御部２３０によって通話対象時間にＳＥＴＵＰ信号が受信された場合に（ステップＳ２０１肯定）、かかるＳＥＴＵＰ信号から、発信元の電話番号を抽出する（ステップＳ２０２）。
【００６８】
続いて、着信制御部２５４は、ＳＥＴＵＰ信号から抽出した電話番号が許可リスト記憶部２４０の予約電話番号に記憶されているか否かを判定する（ステップＳ２０３）。そして、着信制御部２５４は、電話番号が許可リスト記憶部２４０の予約電話番号に記憶されている場合には（ステップＳ２０３肯定）、ＳＥＴＵＰ信号の送信元の携帯端末と電話装置２００との通話を許可する（ステップＳ２０４）。この後に、無線制御部２３０は、図７のステップＳ２３〜Ｓ２７における処理手順と同様の処理を行う。
【００６９】
一方、着信制御部２５４は、ＳＥＴＵＰ信号から抽出した電話番号が許可リスト記憶部２４０の予約電話番号に記憶されていない場合には（ステップＳ２０３否定）、ＳＥＴＵＰ信号の送信元の携帯端末と電話装置２００との通話を許可しない。具体的には、着信制御部２５４は、ＳＥＴＵＰ信号の送信元の携帯端末に対して、着信拒否を示すＤＩＳＣＯＮＮＥＣＴ信号を送信する（ステップＳ２０５）。
【００７０】
なお、図６〜図１０に示した処理手順では、図示することを省略したが、電話装置２００と、携帯端末１１及び２１とは、所定のネットワークを介して、各種情報を送受する。例えば、電話装置２００と、携帯端末１１及び２１とは、基地局や電話交換機等を含む電話網を介して、ＳＥＴＵＰ信号やＤＩＳＣＯＮＮＥＣＴ信号等の情報を送受する。
【００７１】
［実施例２の効果］
上述してきたように、実施例２に係る電話装置２００は、予約対象時間に他の携帯端末からＳＥＴＵＰ信号を受信し、予約受付可能数が「０」になるまで、ＳＥＴＵＰ信号に含まれる電話番号を許可リスト記憶部２４０に登録する。そして、電話装置２００は、通話対象時間にＳＥＴＵＰ信号を受信した場合に、ＳＥＴＵＰ信号に含まれる電話番号が許可リスト記憶部２４０に登録されていれば通話を許可する。一方、電話装置２００は、ＳＥＴＵＰ信号に含まれる電話番号が許可リスト記憶部２４０に登録されていなければ着信を拒否する。
【００７２】
これにより、実施例２に係る電話装置２００は、通話を行う携帯端末の数を所定数に制限することができるので、通話対象時間に通話要求が増大する場合であっても、電話が繋がりにくくなる状況を回避することができる。そして、他の携帯端末の利用者は、電話装置２００と通話を行うことができるか否かを予め通知されているので、通話対象時間に電話装置２００に対して何度も電話をかけ直すことがない。
【００７３】
例えば、実施例２に係る電話装置２００をチケットセンタ等に適用した場合には、チケットの購入者は、チケットセンタとチケット購入者との間で電話が繋がりにくくなる状況を回避できる。これにより、チケット購入者が何度も電話をかけ直すことを回避できる。
【００７４】
また、実施例２に係る電話装置２００は、他の携帯端末からの通話要求によって通話予約処理を行う。すなわち、電話装置２００は、ＳＥＴＵＰ信号とＤＩＳＣＯＮＮＥＣＴ信号とを用いるだけで、通話予約処理を行うことができ、その結果、電話が繋がりにくくなる状況を回避することを実現できる。また、実施例２に係る電話装置２００は、通話予約処理時に、他の携帯端末の利用者との間で通話を行わないので、通話予約処理を高速に行うことができる。これにより、実施例２に係る電話装置２００は、予約対象時間に多数の携帯端末からＳＥＴＵＰ信号を受信した場合であっても、予約登録が完了したか否かを迅速に返答できる。その結果、電話装置２００は、予約対象時間においても、他の携帯端末からの電話が繋がりにくくなる状況を回避することができる。
【００７５】
また、実施例２に係る電話装置２００は、予約対象時間にＳＥＴＵＰ信号を受信した場合に、かかるＳＥＴＵＰ信号に含まれる電話番号が許可リスト記憶部２４０に既に登録されているか否かを判定する。そして、電話装置２００は、ＳＥＴＵＰ信号に含まれる電話番号が許可リスト記憶部２４０に既に登録されている場合には、登録処理を行わない。これにより、電話装置２００は、許可リスト記憶部２４０に同一の電話番号が重複して登録されることを防止することができる。
【００７６】
また、実施例２に係る電話装置２００は、電話番号を許可リスト記憶部２４０に登録できなかった場合には、着信拒否を示すＤＩＳＣＯＮＮＥＣＴ信号を送信する。これにより、電話装置２００は、他の携帯端末の利用者に対して、通話予約が行えなかったことを通知することができる。
【実施例３】
【００７７】
次に、実施例３では、複数の通話対象時間について通話予約を受け付ける例について説明する。実施例３では、異なる予約対象時間に、異なる通話対象時間の通話予約を受け付ける場合を例に挙げて説明する。例えば、実施例３に係る電話装置は、予約対象時間「７時〜８時」には、通話対象時間「１５時〜１６時」における通話の予約を受け付け、予約対象時間「９時〜１０時」には、通話対象時間「１７時〜１８時」における通話の予約を受け付ける。
【００７８】
［実施例３に係る電話装置の構成］
まず、図１１を用いて、実施例３に係る電話装置の構成について説明する。図１１は、実施例３に係る電話装置３００の構成例を示すブロック図である。なお、以下では、図２に示した構成部位と同様の機能を有する部位には同一符号を付すこととして、その詳細な説明を省略する。
【００７９】
図１１に示すように、実施例３に係る電話装置３００は、許可リスト記憶部３４０を有する。許可リスト記憶部３４０は、通話対象時間に対応付けて、電話装置３００との通話が許可される携帯端末の電話番号を記憶する。
【００８０】
図１２に、実施例３における許可リスト記憶部３４０の一例を示す。図１２に示した例では、許可リスト記憶部３４０は、「リスト番号」、「予約時間」、「予約電話番号」といった項目を有する。「リスト番号」は、図３に示したリスト番号と同様である。「予約時間」は、通話を行うことが許可される時間を示す。「予約電話番号」は、予約時間に電話装置３００との通話が許可される携帯端末の電話番号を示す。
【００８１】
例えば、図１２に示した許可リスト記憶部３４０は、「２０１０年４月１日  １５時〜１６時」には、電話番号が「００００００００００１」〜「００００００００００５」である携帯端末との間で通話が許可されることを示している。また、図１２に示した許可リスト記憶部３４０は、「２０１０年４月１日  １７時〜１８時」には、電話番号が「００００００００００６」〜「０００００００００１０」である携帯端末との間で通話が許可されることを示している。
【００８２】
また、図１１に示すように、実施例３に係る電話装置３００は、制御部３５０を有する。制御部３５０は、表示制御部３５１と、初期化部３５２と、登録部３５３と、着信制御部３５４とを有する。
【００８３】
実施例３における表示制御部３５１は、通話対象時間毎に、許可リスト記憶部３４０に登録可能な予約電話番号の数を設定する「予約人数設定画面」を出力部２１０に表示制御する。例えば、表示制御部３５１は、図４に例示した予約人数設定画面１０Ｇに、年月日時分秒の範囲を入力可能な入力欄を有する画面を出力部２１０に表示制御する。
【００８４】
初期化部３５２は、許可リスト記憶部３４０を初期化する。具体的には、初期化部３５２は、表示制御部３５１によって表示制御された予約人数設定画面に入力された年月日時分秒の範囲と、予約受付可能数とを用いて、許可リスト記憶部３４０を初期化する。
【００８５】
例えば、予約人数設定画面の年月日時分秒の範囲に「２０１０年４月１日１５時〜２０１０年４月１日１６時」が入力され、予約受付可能数に「５人」が入力されたものとする。かかる場合に、初期化部３５２は、許可リスト記憶部３４０の予約時間「２０１０年４月１日１５時〜２０１０年４月１日１６時」に記憶されている各種情報を削除する。続いて、初期化部３５２は、許可リスト記憶部３４０の予約時間「２０１０年４月１日１５時〜２０１０年４月１日１６時」に５個の予約電話番号を登録できるレコードを生成する。また、初期化部３５２は、所定の記憶部に、予約時間「２０１０年４月１日１５時〜２０１０年４月１日１６時」の予約受付可能数として「５」を記憶する。
【００８６】
登録部３５３は、無線制御部２３０によって予約対象時間にＳＥＴＵＰ信号が受信された場合に、かかる予約対象時間において予約可能な通話対象時間に対応する予約受付可能数が「０」であるか否かを判定する。そして、登録部３５３は、予約受付可能数が「０」でない場合には、ＳＥＴＵＰ信号に含まれる電話番号が、予約可能な通話対象時間に対応する許可リスト記憶部３４０の予約電話番号に記憶されているか否かを判定する。そして、登録部３５３は、ＳＥＴＵＰ信号に含まれる電話番号が許可リスト記憶部３４０に記憶されていない場合には、ＳＥＴＵＰ信号に含まれる電話番号を、予約可能な通話対象時間に対応する許可リスト記憶部３４０の予約電話番号に登録する。また、登録部３５３は、予約時間に対応する予約受付可能数を、かかる予約受付可能数から「１」を減算した値に更新する。
【００８７】
一方、登録部３５３は、予約受付可能数が「０」である場合には、ＳＥＴＵＰ信号に含まれる電話番号を許可リスト記憶部３４０に登録しない。また、登録部３５３は、予約受付可能数が「０」でない場合であっても、ＳＥＴＵＰ信号に含まれる電話番号が許可リスト記憶部３４０に記憶されている場合には、電話番号を許可リスト記憶部３４０に登録しない。
【００８８】
例えば、実施例３に係る電話装置３００が、予約対象時間「２０１０年４月１日  ７時〜８時」に、通話対象時間「２０１０年４月１日  １５時〜１６時」における通話の予約を受け付けるものとする。そして、無線制御部２３０が、「２０１０年４月１日  ７時〜８時」にＳＥＴＵＰ信号を受信したものとする。
【００８９】
かかる場合に、登録部３５３は、予約時間「２０１０年４月１日  １５時〜１６時」に対応する予約受付可能数が「０」であるか否かを判定する。そして、登録部３５３は、予約受付可能数が「０」でない場合には、ＳＥＴＵＰ信号に含まれる電話番号が、許可リスト記憶部３４０の予約時間「２０１０年４月１日の１５時〜１６時」に対応する予約電話番号に登録済みであるか否かを判定する。そして、登録部３５３は、登録済みでない場合には、ＳＥＴＵＰ信号に含まれる電話番号を、許可リスト記憶部３４０の予約時間「２０１０年４月１日の１５時〜１６時」に対応する予約電話番号に登録する。そして、登録部３５３は、予約時間「２０１０年４月１日の１５時〜１６時」に対応する予約受付可能数を、かかる予約受付可能数から「１」を減算した値に更新する。
【００９０】
着信制御部３５４は、無線制御部２３０によって通話対象時間にＳＥＴＵＰ信号が受信された場合に、許可リスト記憶部３４０に、ＳＥＴＵＰ信号を受信した年月日時分秒と、ＳＥＴＵＰ信号に含まれる電話番号とが対応付けて記憶されているか否かを判定する。そして、着信制御部３５４は、双方の情報が許可リスト記憶部３４０に対応付けて記憶されている場合には、ＳＥＴＵＰ信号を送信した携帯端末と電話装置３００との通話を許可する。一方、着信制御部３５４は、双方の情報が許可リスト記憶部３４０に対応付けて記憶されていない場合には、ＳＥＴＵＰ信号を送信した携帯端末と電話装置３００との通話を許可しない。
【００９１】
着信制御部３５４による処理について例を挙げて説明する。なお、許可リスト記憶部３４０は、図１２に示した状態であるものとする。例えば、無線制御部２３０が、「２０１０年４月１日１５時３０分」に、電話番号「００００００００００１」を含むＳＥＴＵＰ信号を受信したものとする。かかる場合に、着信制御部３５４は、「２０１０年４月１日の１５時３０分」を含む予約時間と、電話番号「００００００００００１」とが対応付けて許可リスト記憶部３４０に記憶されているので、通話を許可する。また、例えば、無線制御部２３０が、「２０１０年４月１日１６時３０分」に、電話番号「００００００００００１」を含むＳＥＴＵＰ信号を受信したものとする。かかる場合に、着信制御部３５４は、「２０１０年４月１日の１６時３０分」を含む予約時間と、電話番号「００００００００００１」とが対応付けて許可リスト記憶部３４０に記憶されていないので、通話を許可しない。
【００９２】
［実施例３の効果］
上述してきたように、実施例３に係る電話装置３００は、複数の通話対象時間について通話予約を受け付ける。これにより、電話装置３００は、通話対象時間を分散させることができる。例えば、電話装置３００は、１時間毎や２時間毎に、通話要求の数を制限することができる。したがって、電話装置３００は、他の携帯端末から通話要求を受け付ける数を分散させることができるので、電話が繋がりにくくなる状況をより回避することができる。
【００９３】
なお、上記実施例３では、異なる予約対象時間に、異なる通話対象時間の通話予約を受け付ける例について説明した。しかし、電話装置３００は、上記手法以外の手法によって、複数の通話対象時間について通話予約を受け付けてもよい。例えば、電話装置３００は、他の携帯端末から、電話番号と、通話を希望する希望時間帯を示す希望時間帯情報とを受信することにより予約処理を行ってもよい。なお、上記の電話装置３００は、異なる予約対象時間に、異なる通話対象時間の通話予約を受け付ける。したがって、言い換えれば、上記の電話装置３００は、他の携帯端末から、電話番号と希望時間帯情報とを含むＳＥＴＵＰ信号を受信するとも言える。
【実施例４】
【００９４】
次に、実施例４では、図２に示した電話装置２００をＳＩＰ（Session  Initiation  Protocol）に適用する例について説明する。なお、実施例４に係る電話装置の構成は、図２に示した電話装置２００の構成と同様であるので、図示することを省略する。ただし、実施例４に係る電話装置は、図２に示した許可リスト記憶部２４０の代わりに、許可リスト記憶部４４０を有する。
【００９５】
ＳＩＰが適用されるネットワークでは、例えば、ＳＩＰ−ＵＲＬ（ＳＩＰ  Uniform  Resource  Locators）が電話番号に相当する。したがって、許可リスト記憶部４４０は、電話装置４００との通話が許可される携帯端末のＳＩＰ−ＵＲＬを記憶する。
【００９６】
図１３に、実施例４における許可リスト記憶部４４０の一例を示す。図１３に示した例では、許可リスト記憶部４４０は、「リスト番号」、「予約ＳＩＰ−ＵＲＬ」といった項目を有する。「リスト番号」は、図３に示したリスト番号と同様である。「予約ＳＩＰ−ＵＲＬ」は、電話装置４００との通話が許可される携帯端末のＳＩＰ−ＵＲＬを示す。
【００９７】
次に、図１４〜図１６を用いて、電話装置４００と他の携帯端末による各種処理について説明する。図１４は、実施例４に係る電話装置４００と他の携帯端末による通話予約処理を示すシーケンス図である。なお、図１４に示した処理手順は、予約対象時間に行われる。
【００９８】
図１４に示すように、携帯端末３１は、通話予約を行う場合に、電話装置４００に対して、携帯端末３１のＳＩＰ−ＵＲＬを含むＩＮＶＩＴＥを送信する（ステップＳ４１）。なお、図１４に示した例では、携帯端末３１のＳＩＰ−ＵＲＬは、「Ａ」であるものとする。
【００９９】
携帯端末３１からＩＮＶＩＴＥを受信した電話装置４００は、許可リスト記憶部４４０を更新する（ステップＳ４２）。なお、ここでは、予約受付可能数が「０」でないものとする。また、許可リスト記憶部４４０は、ステップＳ４１におけるＩＮＶＩＴＥを受信する前には、携帯端末３１のＳＩＰ−ＵＲＬ「Ａ」を記憶していないものとする。したがって、電話装置４００は、ＩＮＶＩＴＥに含まれる携帯端末３１のＳＩＰ−ＵＲＬ「Ａ」を許可リスト記憶部４４０の予約ＳＩＰ−ＵＲＬに登録する。
【０１００】
続いて、電話装置４００は、ＳＩＰ−ＵＲＬを許可リスト記憶部４４０に登録したことを示すレスポンスを携帯端末３１へ送信する（ステップＳ４３）。かかるレスポンスを受信した携帯端末３１は、自装置の表示画面に、通話予約が成功したことを示す登録成功画面を表示する（ステップＳ４４）。
【０１０１】
この後に、電話装置４００は、他の携帯端末からＩＮＶＩＴＥを受信して、許可リスト記憶部４４０の予約ＵＲＬにＳＩＰ−ＵＲＬを登録したものとする。そして、予約受付可能数が「０」になったものとする。このような状況において、図１４に示すように、携帯端末４１は、電話装置４００に対して、携帯端末４１のＳＩＰ−ＵＲＬ「Ｋ」を含むＩＮＶＩＴＥを送信する（ステップＳ４５）。
【０１０２】
携帯端末４１からＩＮＶＩＴＥを受信した電話装置４００は、予約受付可能数が「０」であるので、着信拒否を示すレスポンスを携帯端末４１へ送信する（ステップＳ４６）。かかるレスポンスを受信した携帯端末４１は、自装置の表示画面に、通話予約が失敗したことを示す登録失敗画面を表示する（ステップＳ４７）。
【０１０３】
図１５は、実施例４に係る電話装置４００と他の携帯端末による通話処理を示すシーケンス図である。なお、図１５に示した処理手順は、通話対象時間に行われる。また、図１５では、電話装置４００と図１４に示した携帯端末３１による通話処理を示す。
【０１０４】
図１５に示すように、携帯端末３１は、電話装置４００と通話を行う場合に、電話装置４００に対して、携帯端末３１のＳＩＰ−ＵＲＬ「Ａ」を含むＩＮＶＩＴＥを送信する（ステップＳ５１）。
【０１０５】
携帯端末３１からＩＮＶＩＴＥを受信した電話装置４００は、許可リスト記憶部４４０を参照して、ＳＩＰ−ＵＲＬ「Ａ」が許可リスト記憶部４４０の予約ＳＩＰ−ＵＲＬに記憶されているか否かを判定する（ステップＳ５２）。ここでは、許可リスト記憶部４４０は、ＳＩＰ−ＵＲＬ「Ａ」を記憶しているものとする。したがって、電話装置４００は、携帯端末３１に対して、暫定応答を示す「１８０  Ｒｉｎｇｉｎｇ」を送信する（ステップＳ５３）。
【０１０６】
続いて、電話装置４００は、携帯端末３１に対して、要求を承認したことを示す「２００  ＯＫ」を送信する（ステップＳ５４）。続いて、携帯端末３１は、電話装置４００に対して、セッション確立に了解した旨を示す「ＡＣＫ」を送信する（ステップＳ５５）。このようにして、電話装置４００は、携帯端末３１との間のセッションを確立する。
【０１０７】
これにより、電話装置４００の利用者と、携帯端末３１の利用者とは通話を行うことができる（ステップＳ５６）。そして、通話が終了した後に、電話装置４００は、携帯端末３１に対して、「Ｂｙｅ」を送信する（ステップＳ５７）。そして、携帯端末３１は、電話装置４００に対して、「２００  ＯＫ」を送信する（ステップＳ５８）。これにより、電話装置４００と携帯端末３１との間のセッションは終了する。
【０１０８】
図１６は、実施例４に係る電話装置４００と他の携帯端末による着信拒否処理を示すシーケンス図である。なお、図１６に示した処理手順は、図１５に示した処理手順と同様に、通話対象時間に行われる。また、図１６では、電話装置４００と図１４に示した携帯端末４１による着信拒否処理を示す。
【０１０９】
図１６に示すように、携帯端末４１は、電話装置４００と通話を行う場合に、電話装置４００に対して、携帯端末４１のＳＩＰ−ＵＲＬ「Ｋ」を含むＩＮＶＩＴＥを送信する（ステップＳ６１）。
【０１１０】
携帯端末４１からＩＮＶＩＴＥを受信した電話装置４００は、許可リスト記憶部４４０を参照して、ＳＩＰ−ＵＲＬ「Ｋ」が許可リスト記憶部４４０の予約ＳＩＰ−ＵＲＬに記憶されているか否かを判定する（ステップＳ６２）。
【０１１１】
ここでは、許可リスト記憶部４４０は、ＳＩＰ−ＵＲＬ「Ｋ」を記憶していないものとする。したがって、電話装置４００は、携帯端末４１に対して、着信拒否を示すレスポンスを携帯端末４１へ送信する（ステップＳ６３）。
【０１１２】
なお、図１４〜図１６に示した処理手順では、図示することを省略したが、電話装置４００と、携帯端末３１及び４１とは、所定のネットワークを介して、各種情報を送受する。例えば、電話装置４００と、携帯端末３１及び４１とは、ＳＩＰプロキシサーバ等を介して、ＩＮＶＩＴＥやＲｉｎｇｉｎｇ等のメッセージを送受する。
【０１１３】
［実施例４の効果］
上述してきたように、本願の開示する電話装置は、ＳＩＰに適用することもできる。すなわち、実施例４に係る電話装置４００は、ＩＰ電話によって通話が行われるネットワークにおいても、電話が繋がりにくくなる状況を回避することを実現できる。
【実施例５】
【０１１４】
ところで、本願の開示する電話装置等は、上述した実施例以外にも、種々の異なる形態にて実施されてよい。そこで、実施例５では、本願の開示する電話装置等の他の実施例について説明する。
【０１１５】
［予約受付可能数］
上記実施例２〜４では、所定の記憶部に、予約受付可能数を保持しておき、予約受付可能数が「０」であるか否かを判定することにより、許可リスト記憶部２４０、３４０、４４０に登録する電話番号等の数を制限する例を示した。しかし、本願の開示する電話装置は、予約受付可能数を保持しなくてもよい。例えば、電話装置２００は、初期化部２５２によって許可リスト記憶部２４０に生成された全てのレコードに電話番号が記憶されているか否かを判定してもよい。かかる場合には、電話装置２００の登録部２５３は、許可リスト記憶部２４０の全レコードに電話番号が記憶されている場合には、ＳＥＴＵＰ信号に含まれる電話番号を許可リスト記憶部２４０に登録しない。
【０１１６】
［システム構成等］
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、図２に示した初期化部２５２と登録部２５３とは統合されてもよい。
【０１１７】
［プログラム］
また、上記実施例で説明した各種の処理は、あらかじめ用意されたプログラムをコンピュータで実行することによって実現することができる。そこで、以下では、図１７を用いて、図１に示した電話装置１００と同様の機能を有する着信制御プログラムを実行するコンピュータの一例を説明する。
【０１１８】
図１７は、着信制御プログラムを実行するコンピュータを示す図である。図１７に示すように、コンピュータ１０００は、ＲＡＭ１０１０と、キャッシュ１０２０と、ＨＤＤ１０３０と、ＲＯＭ１０４０と、ＣＰＵ１０５０、バス１０６０とを有する。ＲＡＭ１０１０、キャッシュ１０２０、ＨＤＤ１０３０、ＲＯＭ１０４０、ＣＰＵ１０５０は、バス１０６０によって接続されている。
【０１１９】
ＲＯＭ１０４０には、図１に示した電話装置１００と同様の機能を発揮する着信制御プログラムが予め記憶されている。具体的には、ＲＯＭ１０４０には、受信プログラム１０４１と、登録プログラム１０４２と、着信制御プログラム１０４３とが記憶されている。
【０１２０】
そして、ＣＰＵ１０５０は、これらの受信プログラム１０４１と、登録プログラム１０４２と、着信制御プログラム１０４３とを読み出して実行する。これにより、図１７に示すように、受信プログラム１０４１は、受信プロセス１０５１になり、登録プログラム１０４２は、登録プロセス１０５２になり、着信制御プログラム１０４３は、着信制御プロセス１０５３になる。なお、受信プロセス１０５１は、図１に示した受信部１１０に対応し、登録プロセス１０５２は、図１に示した登録部１２０に対応し、着信制御プロセス１０５３は、図１に示した着信制御部１４０に対応する。
【０１２１】
なお、上記した各プログラム１０４１〜１０４３については、必ずしもＲＯＭ１０４０に記憶させなくてもよい。例えば、コンピュータ１０００に挿入されるフレキシブルディスク（ＦＤ）、ＣＤ−ＲＯＭ、ＭＯディスク、ＤＶＤディスク、光磁気ディスク、ＩＣカードなどの「可搬用の物理媒体」にプログラム１０４１〜１０４３を記憶させてもよい。または、コンピュータ１０００の内外に備えられるハードディスクドライブ（ＨＤＤ）などの「固定用の物理媒体」にプログラム１０４１〜１０４３を記憶させてもよい。または、公衆回線、インターネット、ＬＡＮ、ＷＡＮなどを介してコンピュータ１０００に接続される「他のコンピュータ（またはサーバ）」にプログラム１０４１〜１０４３を記憶させてもよい。そして、コンピュータ１０００は、上述したフレキシブルディスク等から各プログラムを読み出して実行するようにしてもよい。
【符号の説明】
【０１２２】
１０  通信端末
１１、２１、３１、４１  携帯端末
１００、２００、３００、４００  電話装置
１１０  受信部
１２０  登録部
１３０  記憶部
１４０  着信制御部
２１０  出力部
２２０  入力部
２３０  無線制御部
２４０、３４０、４４０  許可リスト記憶部
２５０、３５０  制御部
２５１、３５１  表示制御部
２５２、３５２  初期化部
２５３、３５３  登録部
２５４、３５４  着信制御部
【図１】
2011199621.tif 000003
【図２】
2011199621.tif 000004
【図３】
2011199621.tif 000005
【図４】
2011199621.tif 000006
【図５】
2011199621.tif 000007
【図６】
2011199621.tif 000008
【図７】
2011199621.tif 000009
【図８】
2011199621.tif 000010
【図９】
2011199621.tif 000011
【図１０】
2011199621.tif 000012
【図１１】
2011199621.tif 000013
【図１２】
2011199621.tif 000014
【図１３】
2011199621.tif 000015
【図１４】
2011199621.tif 000016
【図１５】
2011199621.tif 000017
【図１６】
2011199621.tif 000018
【図１７】
2011199621.tif 000019